(57)【要約】【課題】操作者があらかじめ取扱い説明書等で操作手順を習得していなくても、簡単に操作することが可能な籾摺選別機の操作装置を提供する。【解決手段】表示部１１には、籾から玄米を得る籾摺選別処理機能を選択することが可能な籾摺選別ボタンと、麦の精選処理機能を選択することが可能な麦精選ボタンとを配設する一方、前記制御部１０は、前記籾摺選別ボタン又は麦精選ボタンのいずれかのボタンを選択した場合に、当該選択したボタンで運転するときの操作手順に従って操作画像を変化させて操作者に報知するよう、前記表示部１１に画像を表示する操作手順表示手段１９ａを設ける。【選択図】図２
2015085254.tif 000002
【特許請求の範囲】
【請求項１】
籾摺部、風選部、揺動選別部及び表示部を介して前記各部を制御する制御部を備えた籾摺選別機の操作装置であって、
前記表示部には、籾から玄米を得る籾摺選別処理機能を選択することが可能な籾摺選別ボタンと、麦の精選処理機能を選択することが可能な麦精選ボタンとを配設する一方、
前記制御部は、前記籾摺選別ボタン又は麦精選ボタンのいずれかのボタンを選択した場合に、当該選択したボタンで運転するときの操作手順に従って操作画像を変化させて操作者に報知するよう、前記表示部に画像を表示する操作手順出力回路を設けたことを特徴とする籾摺選別機の操作装置。
【請求項２】
前記表示部には、前記籾摺選別処理機能又は前記麦精選処理機能の運転前準備の作業を説明する運転前準備ボタンをそれぞれ配置してなる請求項１記載の籾摺選別機の操作装置。
【請求項３】
前記表示部には、前記籾摺部の消耗部品である脱ぷロールの交換作業を説明するロール交換ボタンを配置してなる請求項１又は２記載の籾摺選別機の操作装置。
【請求項４】
前記表示部は、画面上を指先で軽く触れることで画面内の項目を選択することが可能なタッチパネルにより形成されてあり、該タッチパネルの画面内に運転操作のための押しボタンスイッチが配置されている請求項１から３のいずれかに記載の籾摺選別機の操作装置。
【発明の詳細な説明】
【技術分野】
【０００１】
本発明は、籾摺選別機に関するものであり、特に、操作性を向上させた籾摺選別機の操作装置に関する。
【背景技術】
【０００２】
従来、籾摺選別機の選別作業状態の進行に応じて操作レバーの操作タイミングを適時適切に表示し、籾摺選別作業を円滑に進めることができる籾摺選別機の操作装置が知られている（例えば、特許文献１参照）。
【０００３】
この籾摺選別機は、単一の操作レバー（３２）により前記籾シャッタ弁（３１）、揺動選別板（１５）の揺動を入り切りする揺動クラッチ手段（３９ａ）及び循環／排出切換弁（３６）を操作可能に構成し、操作表示部（４４）には前記操作レバー（３２）が第１操作位置（３２ｂ）又は第２操作位置（３２ｃ）又は第３操作位置（３２ｄ）いずれに位置しているかを表示する第１操作位置〜第３操作位置の操作位置表示手段（Ｌａ，Ｌｂ，Ｌｃ）をそれぞれ設け、該操作位置表示手段（Ｌａ，Ｌｂ，Ｌｃ）には現在操作位置を示す現在操作状態表示と、操作レバー（３２）の次工程操作位置を示す次工程操作表示をすることを特徴とする籾摺選別機の操作装置としたものである。
【０００４】
上記構成により、籾摺選別作業の進行状態に沿って操作レバー（３２）の現在操作位置と次工程操作位置が明確になり、籾摺選別作業を円滑に進めることができるという作用・効果がある。
【０００５】
しかしながら、上記従来の籾摺選別機は、操作表示部（４４）には左側から右側にかけて第１操作表示マーク（４３ａ）、第２操作表示マーク（４３ｂ）、第３操作表示マーク（４３ｃ）を設け、第１操作表示マーク（４３ａ）の近傍に操作レバー（３２）の第１操作位置（３２ｂ）への操作を表示する第１操作位置ランプ（Ｌａ）を設け、第２操作表示マーク（４３ｂ）の近傍に操作レバー（３２）の第２操作位置（３２ｃ）への操作を表示する第２操作位置ランプ（Ｌｂ）を設け、第３操作表示マーク（４３ｃ）の近傍に操作レバー（３２）の第３操作位置（３２ｄ）への操作を表示する第３操作位置ランプ（Ｌｃ）を設けて、位置ランプ（Ｌａ，Ｌｂ，Ｌｃ）の点滅等の表示によって操作レバーの位置を次の工程に移動するように操作者に施すようにしてあるから、操作者が操作するためには事前に操作レバーの機能や、位置ランプ（ｌａ，Ｌｂ，Ｌｃ）の機能などを、ある程度取扱い説明書等で学習しておき、最低限の操作手順を習得しておく必要があった。
【先行技術文献】
【特許文献】
【０００６】
【特許文献１】特開２０１３−１７３１２０号公報
【発明の概要】
【発明が解決しようとする課題】
【０００７】
本発明は上記問題点にかんがみ、操作者があらかじめ取扱い説明書等で操作手順を習得していなくても、簡単に操作することが可能な籾摺選別機の操作装置を提供することを技術的課題とする。
【課題を解決するための手段】
【０００８】
上記課題を解決するため請求項１記載の発明は、籾摺部、風選部、揺動選別部及び表示部を介して前記各部を制御する制御部を備えた籾摺選別機の操作装置であって、
前記表示部には、籾から玄米を得る籾摺選別処理機能を選択することが可能な籾摺選別ボタンと、麦の精選処理機能を選択することが可能な麦精選ボタンとを配設する一方、
前記制御部は、前記籾摺選別ボタン又は麦精選ボタンのいずれかのボタンを選択した場合に、当該選択したボタンで運転するときの操作手順に従って操作画像を変化させて操作者に報知するよう、前記表示部に画像を表示する操作手順表示手段を設ける、という技術的手段を講じた。
【０００９】
また、請求項２記載の発明は、前記表示部に、前記籾摺選別処理又は前記麦精選処理機能の運転前準備の作業を説明する運転前準備ボタンをそれぞれ配置することを特徴とする。
【００１０】
さらに、請求項３記載の発明は、前記表示部に、前記籾摺部の消耗部品である脱ぷロールの交換作業を説明するロール交換ボタンを配置することを特徴とする。
【００１１】
そして、請求項４記載の発明では、前記表示部が、画面上を指先で軽く触れることで画面内の項目を選択することが可能なタッチパネルにより形成されてあり、該タッチパネルの画面内に運転操作のための押しボタンスイッチが配置されていることを特徴とする。
【発明の効果】
【００１２】
本発明は、表示部に、籾から玄米を得る籾摺選別処理機能を選択することが可能な籾摺選別ボタンと、麦の精選処理機能を選択することが可能な麦精選ボタンとを配設する一方、制御部には、籾摺選別ボタン又は麦精選ボタンのいずれかのボタンを選択した場合に、当該選択したボタンで運転するときの操作手順に従って操作画像を変化させて操作者に報知するよう、前記表示部に画像を表示する操作手順表示手段を設けたので、籾摺選別機の籾摺、選別、機内循環及び機外排出からなる一連の籾摺作業の開始処理、並びに、機内循環、残留米排出、モータ停止及び主電源のオフからなる一連の停止処理が、各操作手順に従って順次操作画像を変化させて操作者に報知するように画像が表示され、操作者があらかじめ取扱い説明書等で操作手順を習得していなくても、籾摺選別機を簡単に操作し得て、籾摺選別作業を実行することが可能となる。
【００１３】
また、表示部に、籾摺選別処理機能又は麦精選処理機能の運転前準備の作業を説明する運転前準備ボタンをそれぞれ配置してあるから、揺動選別部の玄米仕切板の位置、籾仕切板の位置、揺動選別板の角度調節などの作業を、操作画像を変化させて操作者に報知することができ、操作者があらかじめ取扱い説明書等で準備作業を確認しなくても簡単に準備作業を実行することができる。
【００１４】
さらに、表示部に、前記籾摺部の消耗部品である脱ぷロールの交換作業を説明するロール交換ボタンを配置してあるから、操作者が脱ぷロールのロール交換する際や、籾が詰まったときにロール間隙を広げる際の作業を、操作画像を変化させて操作者に報知することができ、操作者があらかじめ取扱い説明書等で操作手順を習得していなくても簡単にロール間隙を広げる作業を実行することができる。
【００１５】
そして、表示部が、画面上を指先で軽く触れることで画面内の項目を選択することが可能なタッチパネルにより形成されてあり、タッチパネルの画面内に運転操作のための押しボタンスイッチが配置されているから、タッチパネルの画面上に見えているものに直接触れて指示できるため、直感的で簡単に操作することができる。
【図面の簡単な説明】
【００１６】
【図１】本発明の籾摺選別機の全体構成を示す断面図である。
【図２】制御部のブロック図である。
【図３】本発明の操作装置の構成例を示す図である。
【図４】籾摺選別ボタンを押下ときの流れ図である。
【図５】籾摺選別処理の操作手順に従って順次操作画像が変化する画像を示す図である。
【図６】籾摺選別処理の操作手順に従って順次操作画像が変化する画像を示す図である。
【図７】麦精選ボタンを押下ときの流れ図である。
【図８】麦精選処理の操作手順に従って順次操作画像が変化する画像を示す図である。
【図９】麦精選処理の操作手順に従って順次操作画像が変化する画像を示す図である。
【図１０】脱ぷロール交換ボタンを押下したときの動作を示す画像である。
【図１１】運転前準備ボタンを押下したときの動作を示す画像である。
【発明を実施するための形態】
【００１７】
本発明を実施するための形態を図面を参照しながら説明する。図１は本発明の籾摺選別機の全体構成を示す断面図である。この種の籾摺選別機１は、原料となる籾を貯留するための原料ホッパ２と、一対の脱ぷロール３ａ，３ｂにより籾摺を行う籾摺部４と、籾摺部４からの摺落米を風選して籾殻及び夾雑物などを除去する風選部５と、風選部５で風選された混合米を揚送する混合米揚穀機６と、混合米を一旦貯留する混合米タンク７と、混合米を籾と玄米とに分離選別する揺動選別部８と、揺動選別部８により選別された玄米を揚穀して機外に取り出す玄米揚穀機９とにより主要部が構成される。
上述の籾摺選別機１には、前記原料ホッパ２底部に設けた籾シャッタ弁（図示せず）の開／閉の切り換えの操作と、前記揺動選別部８の揺動クラッチ（図示せず）の揺動入り／揺動停止の切り換えの操作と、前記揺動選別部８の循環排出切換弁（図示せず）の循環／排出の切り換えの操作とが、レバーの位置によって連動操作することが可能な操作レバー１４が設けられている。
そして、前記籾摺選別機１の前面中央には、画面上のアイコンやボタンをタッチして、籾摺選別機１の各種運転操作の実行の選択ができる表示手段となる大型の液晶タッチパネル（７インチ）１１と、電源スイッチやモバイルバッテリなどの電源部１２と、ＵＳＢなどのシリアルバス規格で接続が可能なインターフェース１３とを備えた制御部１０が配置されている。
【００１８】
上記制御部１０の詳細構造を図２を参照して説明する。前記操作レバー１４が「レバー０位置（籾シャッタ弁閉、揺動クラッチ停止、循環排出弁循環）」にあることを検出するレバー０位置検知用リミットスイッチ１５と、前記操作レバー１４が「レバー２位置（籾シャッタ開、揺動クラッチ揺動入り、循環排出弁排出）」にあることを検出するレバー２位置検知リミットスイッチ１６と、前記脱ぷロール３ａ，３ｂの間隙が開放されていることを検知するロール間隙検知リミットスイッチ１７と、前記混合米タンクの貯留量が無いことを検出する混合米タンク貯留量検知リミットスイッチ１８とが、入力回路を経由して制御部のＣＰＵ１９に入力されている。ＣＰＵ１９には、処理の操作手順に従って操作画像を変化させて操作者に報知するよう、前記表示手段（液晶タッチパネル１１）に画像を表示する操作手順表示手段１９ａが内装されている。
【００１９】
また、ＣＰＵ１９からは出力回路を経由して本機モータ２０と、脱ぷロール間隙調節モータ２１と、循環排出切換弁制御モータ２２と、籾シャッタ弁制御モータ２３と、警告ブザー２４とに接続されている。なお、警告ブザーの代わりに操作者に音声で知らせるスピーカを接続してもよい。そして、前記制御部１０側に設けられる記憶部２５としては、ＲＡＭ（ランダムアクセスメモリ）２６、及びＯＳやアプリケーションが記憶されているフラッシュメモリ２７が配置されている。さらに、カレンダ・タイマＩＣ（集積回路）２８も接続されている。
【００２０】
図３は、本発明の操作装置の構成例を示す図である。図３に示すように、本発明の操作装置は、籾摺選別機１の前面中央に設置されて、当該籾摺選別機１の籾摺部４、風選部５及び揺動選別部８の各部を制御する制御部１０と、画面上のアイコンやボタンをタッチして、籾摺選別機１の各種運転操作の実行の選択ができる大型の液晶タッチパネル（７インチ）１１とにより主要部が構成される。
【００２１】
以下、上記構成における操作装置の処理手順につき、図３、図４を参照して説明する。図３には、籾摺選別機１の電源投入後液晶タッチパネル１１に表示される初期画面２９があらわれている。そして、図３の初期画面には、籾から玄米を得る籾摺選別処理機能を選択することが可能な籾摺選別ボタン３０と、麦の精選処理機能を選択することが可能な麦精選ボタン３１と、前記籾摺選別処理の前に操作者に運転前準備作業を指示する運転前準備ボタン３２と、前記麦の精選処理の前に操作者に運転前準備作業を指示する運転前準備ボタン３３と、脱ぷロール３ａ，３ｂの交換作業を指示する脱ぷロール交換ボタン３４をそれぞれ配設する。そして、初期画面２９から指先１００で前記各ボタン３０〜３４押下すると、各ボタンがオンして、タッチパネルＩ／Ｆ回路を介して制御部１０に信号が伝達され、各処理が稼働されることになる。
【００２２】
図４は、籾摺選別処理を実行したときの流れ図であり、図５は、籾摺選別処理の操作手順に従って順次変化する操作画面を示した図である。図４及び図５において、まず、初期画面２９を表示したときは、指先１００により籾摺選別ボタン３０を押下したか否かが判断され（図４のステップ１０１、図５の（Ａ））、押下された場合は、籾ホッパ２へ籾の張り込み作業を指示する画面が表示され（図４のステップ１０２、図５の（Ｂ））、数十秒経過後又は「次へ」のボタンを押すことでモータ始動を指示する画面が表示される（図４のステップ１０３、図５の（Ｃ））。このとき、熟練の作業者である場合、籾ホッパ２へ籾の張り込み作業を指示する処理を省略することもできる。
【００２３】
モータ始動を指示する画面が表示されたときは（図４のステップ１０３、図５の（Ｃ））、指先１００によりモータ始動ボタン３５を押下したか否かが判断され（図４のステップ１０３、図５の（Ｃ））、押下された場合は、ロール間隙調整中の画面が表示され（図４のステップ１０４、図５の（Ｄ））、押下されない場合はリターンして初期画面２９に戻る。
【００２４】
モータ始動後、液晶タッチパネル１１には、処理の操作手順に従って順次操作画像が変化する。すなわち、図４のステップ１０４のロール間隙調整処理は、図５の（Ｄ）の画像が表示され、次いで、図４のステップ１０５の操作レバー１４を０位置から１位置に移動させることを指示する処理は、図５の（Ｅ）の画像が表示され、さらに、図４のステップ１０６の混合米が循環中であることを表示する処理は、図５の（Ｆ）の画像が表示され、処理の操作手順を追って画像が変化する。特に、図５の（Ｆ）の画像では、混合米が機内を循環するのに伴って、矢印記号が点滅で表示され、操作者に分かり易い表示となっている。
【００２５】
そして、混合米が混合米タンク７に貯留されていくと、混合米タンク貯留量検知リミットスイッチ１８のオン信号がオフ信号に切り換わり、ＣＰＵ１９は操作レバー１４をレバー２位置（籾シャッタ開、揺動クラッチ揺動入り、循環排出弁排出）を指示するように信号が出力される（図４のステップ１０７）。このとき、液晶タッチパネル１１には、図５の（Ｇ）の画像を表示して、操作者に操作レバー１４をレバー２位置に操作するよう指示する。これにより、玄米の機外排出が可能となり、排出中であることを液晶タッチパネル１１に表示する（図４のステップ１０８、図５の（Ｈ））。
【００２６】
次に、籾摺選別作業の終了処理について説明する。原料となる籾の籾ホッパ２への張り込み量が減少すると、混合米タンク７の貯留量も減少するので、混合米タンク貯留量検知リミットスイッチ１３により貯留量の有無が判断される（図４のステップ１０９）。そして、混合米タンク貯留量検知リミットスイッチ１３のオフ信号がオン信号に切り換わり、混合米タンク７の貯留量が少ないと判断すると、残留処理に移行する（図４のステップ１１０）。すなわち、残留米処理とは、いったん操作レバー１４を機内循環に戻して機内に保有している籾をほぼ全てを脱ぷし、その後、玄米排出処理により残留米を排出する処理となる。
【００２７】
残留米処理では、液晶タッチパネル１１に図６の（Ｉ）〜（Ｋ）の図で表示される。まず、図６の（Ｉ）では、停止ボタン３６（左端）、残留米処理ボタン３７（中央）及び籾摺選別処理継続表示部３８（右端）が配置され、残留米処理を実行する場合は、指先１００により残留米処理ボタン３７を押下する。これにより、残留米処理方法を表示する。図６の（Ｊ）では、玄米排出ボタン３９が配置され、排出処理を実行する場合に、指先１００により玄米排出ボタン３９を押下する（図４のステップ１１１）。これにより、循環排出弁が排出に切り換わり（図４のステップ１１２）、図６の（Ｋ）では、残留の排出中であることを表示し、残留排出が完了したときの停止ボタン４０が配置されている。
【００２８】
図６の（Ｋ）において、指先１００により停止ボタン４０を押下されると、液晶タッチパネル１１には、図６の（Ｌ）の画像を表示し、操作者に操作レバー１４をレバー０位置に操作するよう指示する（図４のステップ１１３）。そして、図６の（Ｍ）の画像に移行し、この画像では、モータ停止ボタン４１が配置されているので、指先１００により停止ボタン４１を押下すると、モータが停止され、最後に、図６の（Ｎ）の画像で主電源を切るように指示される（図４のステップ１１４）。
【００２９】
以上のように、籾摺選別機１の籾摺、選別、機内循環及び機外排出からなる一連の籾摺作業の開始処理、並びに、機内循環、残留米排出、モータ停止及び主電源のオフからなる一連の停止処が、各操作手順に従って順次操作画像が変化して画像が表示されるので、操作者があらかじめ取扱い説明書等で操作手順を習得していなくても、簡単に操作することが可能となる。
【００３０】
さらに、図７及び図８を参照して麦の精選処理機能を実行したときの流れを説明する。図７は、麦の精選処理を実行したときの流れ図であり、図８は、麦の精選処理の操作手順に従って順次変化する操作画面を示した図である。図７及び図８において、まず、初期画面２９を表示したときは、指先１００により麦精選ボタン３１を押下したか否かが判断され（図７のステップ２０１、図８の（Ａ））、押下された場合は、供給流量調整の設定を支持する画面が表示されるとともに（図７のステップ２０２、図８の（Ｂ））、風量調整の設定を支持する画面が表示され（図７のステップ２０３、図８の（Ｃ））、さらに、籾ホッパ２へ麦の張り込み作業を指示する画面が表示される（図７のステップ２０４、図８の（Ｄ））。
【００３１】
そして、数十秒経過後又は「次へ」を押下すると、モータ始動を指示する画面が表示される（図７のステップ２０５、図８の（Ｅ））。このとき、熟練の作業者である場合、供給流量調整の設定、風量調整の設定及び籾ホッパ２へ籾の張り込み作業を指示する処理を省略することができる。
【００３２】
モータの始動を指示する画面が表示されたときは（図７のステップ２０５、図８の（Ｅ））、指先１００によりモータ始動ボタン３５を押下したか否かが判断され（図７のステップ２０５、図８の（Ｅ））、押下された場合は、ロール間隙を全開にするように調整中の画面が表示され（図７のステップ２０６、図８の（Ｆ））、押下されない場合はリターンして初期画面２９に戻る。
【００３３】
モータ始動後、液晶タッチパネル１１には、処理の操作手順に従って順次操作画像が変化する。すなわち、図７のステップ２０６のロール間隙調整処理は、図８の（Ｆ）の画像が表示され、次いで、図７のステップ２０７の操作レバー１４を０位置から１位置に移動させることを指示する処理は、図８の（Ｇ）の画像が表示され、さらに、図７のステップ２０８の麦が循環中であることを表示する処理は、図８の（Ｈ）の画像が表示され、処理の操作手順を追って画像が変化する。特に、図８の（Ｈ）の画像では、麦が機内を循環するのに伴い矢印記号が点滅で表示され、操作者に分かり易い表示となっている。
【００３４】
そして、上述の麦の機内循環中に穂切れ麦粒の穂側が離脱されて脱粒が行われる。一方で、籾摺選別機１の揺動選別部８を駆動すると、揺動選別作用により、脱粒されずに穂にくっついたままの穂切れ麦粒と、脱粒されて穂の除去された単粒の麦粒とに選別されて精選が行われるのである。
【００３５】
そして、麦粒が混合米タンク７に貯留されていくと、混合米タンク貯留量検知リミットスイッチ１８のオン信号がオフ信号に切り換わり、ＣＰＵ１９は操作レバー１４をレバー２位置（籾シャッタ開、揺動クラッチ揺動入り、循環排出弁排出）を指示するように信号が出力される（図７のステップ２０９）。このとき、液晶タッチパネル１１には、図９の（Ｉ）の画像を表示して、操作者に操作レバー１４をレバー２位置に操作するよう指示する。これにより、玄米の機外排出が可能となり、排出中であることを液晶タッチパネル１１に表示する（図７のステップ２１０、図９の（Ｊ））。
【００３６】
次に、麦精選作業の終了処理について説明する。原料となる麦の籾ホッパ２への張り込み量が減少すると、混合米タンク７の貯留量も減少するので、混合米タンク貯留量検知リミットスイッチ１３により貯留量の有無が判断される（図７のステップ２１１）。そして、混合米タンク貯留量検知リミットスイッチ１３のオフ信号がオン信号に切り換わり、混合米タンク７の貯留量が少ないと判断されると、残留処理に移行することを指示する（図７のステップ２１２）。
【００３７】
残留麦の処理では、液晶タッチパネル１１に図９の（Ｋ）の図で表示される。まず、図９の（Ｋ）では、残留麦処理ボタン４２（左端）、麦精選終了ボタン４３（中央）及び籾精選継続ボタン４４（右端）が配置され、残留麦の処理を実行する場合は、指先１００により残留麦処理ボタン４２を押下する。これにより、残留麦の処理後に機械を停止することが予約される。図９の（Ｌ）では、返り籾排出レバー（図示せず）を排出側に切り換えて揺動選別部７の籾領域に偏った穂切れ、麦わらなどを機外排出することを指示する表示がなされ、さらに、図９の（Ｌ）上に配置された排出ボタン４５を押下することで、残留麦の排出が行われる（図９の（Ｍ））。
【００３８】
そして、図９の（Ｍ）において、指先１００により停止ボタン４０を押下されると、液晶タッチパネル１１には、図９の（Ｎ）の画像を表示し、操作者に操作レバー１４をレバー０位置に操作するよう指示する（図７のステップ２１３、図９の（Ｎ））。さらに、図９の（Ｏ）の画像では、モータ停止ボタン４１が配置され、指先１００により停止ボタン４１を押下すると、モータが停止され、最後に、図９の（Ｐ）の画像で主電源を切るように指示される（図７のステップ２１４）。
【００３９】
以上のように、めったに行わない麦精選という選別作業であっても、各操作手順に従って順次操作画像が変化して画像が表示されるので、操作者があらかじめ取扱い説明書等で操作手順を習得していなくても、簡単に操作することが可能となる。
【００４０】
また、図１０は図３において、指先１００により脱ぷロール交換ボタン３４を押下したときの動作を示す画像であり、図１１は籾摺選別処理の準備作業を指示する運転前準備ボタン３２を押下したとき又は麦精選処理の準備作業を指示する運転前準備ボタン３３を押下したときの動作を示す画像である。
【００４１】
図１０では、作業者が任意にロール間隙を広げる際の手順が示され、脱ぷロールのロール交換時や、籾が詰まったときのロール間隙を広げる際に、操作者があらかじめ取扱い説明書等で操作手順を習得していなくても簡単にロール間隙を広げる作業を実行することができる。
【００４２】
図１１では、籾摺選別処理又は麦精選処理の準備作業を指示する手順が示され、揺動選別部７の玄米仕切板の位置、籾仕切板の位置、揺動選別板の角度調節などを、運転前に操作者があらかじめ取扱い説明書等で準備作業を確認しなくても簡単に準備作業を実行することができる。
【００４３】
そして、表示手段として大型の液晶タッチパネル（７インチ）１１を採用しているから、液晶タッチパネル１１の画面上に見えているものに直接触れて指示できるため、直感的で簡単に操作することが可能となる。
【産業上の利用可能性】
【００４４】
本発明は、籾摺選別機や穀物乾燥機などの穀物調製機械に適用することが可能である。
【符号の説明】
【００４５】
１  籾摺選別機
２  原料ホッパ
３  脱ぷロール
４  籾摺部
５  風選部
６  混合米揚穀機
７  混合米タンク
８  揺動選別部
９  玄米揚穀機
１０  制御部
１１  液晶タッチパネル
１２  電源部
１３  インターフェース
１４  操作レバー
１５  レバー０位置検知用リミットスイッチ
１６  レバー２位置検知用リミットスイッチ
１７  ロール間隙検知リミットスイッチ
１８  混合米タンク貯留量検知リミットスイッチ
１９  ＣＰＵ
２０  本機モータ
２１  脱ぷロール間隙調節モータ
２２  循環排出切換弁制御モータ
２３  籾シャッタ弁制御モータ
２４  警告ブザー
２５  記憶部
２６  ＲＡＭ（ランダムアクセスメモリ）
２７  フラッシュメモリ
２８  カレンダ・タイマＩＣ（集積回路）
２９  初期画面
３０  籾摺選別ボタン
３１  麦精選ボタン
３２  運転前準備ボタン
３３  運転前準備ボタン
３４  脱ぷロール交換ボタン
３５  モータ始動ボタン
３６  残留処理ボタン
３７  終了処理ボタン
３８  籾摺選別継続表示部
３９  玄米排出ボタン
４０  停止ボタン
４１  モータ停止ボタン
４２  残留麦処理ボタン
４３  終了処理ボタン
４４  麦精選継続処理ボタン
【図１】
2015085254.tif 000003
【図２】
2015085254.tif 000004
【図３】
2015085254.tif 000005
【図４】
2015085254.tif 000006
【図７】
2015085254.tif 000007
【図５】
2015085254.tif 000008
【図６】
2015085254.tif 000009
【図８】
2015085254.tif 000010
【図９】
2015085254.tif 000011
【図１０】
2015085254.tif 000012
【図１１】
2015085254.tif 000013